(57)【要約】  ワイヤレスデバイスのページングを扱うための、方法およびワイヤレスネットワークの第１のネットワークノード（２００）。第１のネットワークノード（２００）によってサポートされる無線アクセスネットワークエリア（ＲＡＮＡ）が、第１のネットワークノード（２００）を含む、ＲＡＮＡをサポートするネットワークノードによってデータベース（２０２）に登録される（２：１）。ＲＡＮＡをサポートするネットワークノード（２０４）は次いで、データベース（２０２）において識別される（２：３）。たとえば、データを受信するために、ワイヤレスデバイス（Ｄ１）がＲＡＮＡにおいてページングされる必要があることが検出される（２：２）とき、識別されたネットワークノード（２０４）のセットに、ページングメッセージの無線送信を実施するための命令としてページングメッセージが配信される（２：４）。さらに、このことはワイヤレスネットワーク全体を通してネットワークノードに利用可能である。それによって、第１のネットワークノード（２００）などの、ワイヤレスネットワークにおける任意のネットワークノードが、データベース（２０２）に登録された特定のＲＡＮＡをサポートするすべてのネットワークノードに、ページングメッセージの配信を実施することができる。【選択図】図２
2019521614.tif 000002
【特許請求の範囲】
【請求項１】
ワイヤレスデバイスのページングを扱うための、ワイヤレスネットワークの第１のネットワークノード（２００）によって実施される方法であって、
前記第１のネットワークノード（２００）によってサポートされる無線アクセスネットワークエリア（ＲＡＮＡ）をデータベース（２０２）に登録すること（３００）と、
前記ＲＡＮＡをサポートするネットワークノード（２０４）のセットを前記データベース（２０２）において識別すること（３０２）と、
ワイヤレスデバイス（Ｄ１）が前記ＲＡＮＡにおいてページングされる必要があることを検出すること（３０６）と、
識別されたネットワークノード（２０４）のセットに、ページングメッセージの無線送信を実施するための命令として前記ページングメッセージを配信すること（３０８）と
を含む方法。
【請求項２】
前記第１のネットワークノード（２００）が、前記識別されたネットワークノード（２０４）のセットにおける前記ネットワークノードのうちの少なくともいくつかへの接続を確立し（３０４）、前記接続を使用して前記ページングメッセージを配信する、請求項１に記載の方法。
【請求項３】
前記登録すること（５：１）および前記識別すること（５：２）が、前記ＲＡＮＡをサーブするコアネットワークノード（５００）を介して実施される、請求項１または２に記載の方法。
【請求項４】
前記配信することが、前記識別されたネットワークノード（２０４）のセットへの前記ページングメッセージの配信のための中継器としてのコアネットワークノード（５００）に前記ページングメッセージを送ること（５：３）を含む、請求項１に記載の方法。
【請求項５】
前記コアネットワークノード（５００）に送られた前記ページングメッセージが、前記ＲＡＮＡに、または前記識別されたネットワークノード（２０４）のセットにおける各ネットワークノードにアドレス指定される、請求項４に記載の方法。
【請求項６】
前記コアネットワークノード（５００）が、前記ＲＡＮＡに属する別のネットワークノードから前記ワイヤレスデバイス（Ｄ１）のコンテキストを取り出すための中継器として使用される、請求項３から５のいずれか一項に記載の方法。
【請求項７】
前記第１のネットワークノード（２００）が、前記第１のネットワークノード（２００）によってサポートされる複数のＲＡＮＡを前記データベース（２０２）に登録し、前記ワイヤレスデバイスが登録されたＲＡＮＡのうちの少なくとも１つにおいてページングされる必要があることを検出する、請求項１から６のいずれか一項に記載の方法。
【請求項８】
前記登録することが、前記第１のネットワークノード（２００）のＩＰアドレスまたは完全修飾ドメイン名（ＦＱＤＮ）、および前記第１のネットワークノード（２００）によってサポートされる前記ＲＡＮＡの識別子を前記データベース（２０２）に登録することを含む、請求項１から７のいずれか一項に記載の方法。
【請求項９】
前記登録することが、前記第１のネットワークノード（２００）が前記ＲＡＮＡに配置されるとき、または、以前になされた登録が更新される必要があるため、前記第１のネットワークノード（２００）が再設定されるときに実施される、請求項１から８のいずれか一項に記載の方法。
【請求項１０】
前記識別することが、ルックアップキーとしての前記ＲＡＮＡの識別子を伴うクエリを前記データベース（２０２）に送ることを含む、請求項１から９のいずれか一項に記載の方法。
【請求項１１】
前記ページングメッセージが前記ＲＡＮＡに属する別のネットワークノードから受信され、前記第１のネットワークノード（２００）が、前記ＲＡＮＡに属する前記ネットワークノードのうちの少なくともいくつかに、接続を通して前記ページングメッセージを転送することによってハブノードとして働く、請求項１から１０のいずれか一項に記載の方法。
【請求項１２】
別のＲＡＮＡに属する第２のネットワークノード（７００）を前記データベース（２０２）において識別すること（７：１）と、前記第２のネットワークノード（７００）から前記第１のネットワークノード（２００）へとハンドオーバされる前記ワイヤレスデバイス（Ｄ１）のコンテキストを前記第２のネットワークノード（７００）から取り出すこと（７：２）とをさらに含む、請求項１から１１のいずれか一項に記載の方法。
【請求項１３】
前記第１のネットワークノード（２００）が、第１のホップで、前記識別されたネットワークノードのセットにおける近隣ネットワークノードのサブセットにのみ前記ページングメッセージを送り、その結果、前記ページングメッセージが、前記近隣ネットワークノードから同じＲＡＮＡに属するそのそれぞれの近隣ネットワークノードへと前記ページングメッセージを転送する少なくとも第２のホップを使って、前記識別されたネットワークノードのセットに配信される、請求項１から１２のいずれか一項に記載の方法。
【請求項１４】
前記ページングメッセージが、同じページングメッセージがそこから受信されているいずれかのネットワークノードに前記ページングメッセージが転送されるのを回避するために使用され得るメッセージ識別子を含む、請求項１３に記載の方法。
【請求項１５】
前記第１のネットワークノード（２００）が、近隣ネットワークノードの前記サブセットへの接続を確立し、前記第１のホップで、前記接続を使用して前記ページングメッセージを送る、請求項１３または１４に記載の方法。
【請求項１６】
ワイヤレスデバイスのページングを扱うように構成された、ワイヤレスネットワークの第１のネットワークノード（９００）であって、
前記第１のネットワークノード（９００）によってサポートされる無線アクセスネットワークエリア（ＲＡＮＡ）をデータベース（９０２）に登録し（９００Ａ）、
前記ＲＡＮＡをサポートするネットワークノード（９０４）のセットを前記データベース（９０２）において識別し（９００Ｂ）、
ワイヤレスデバイスが前記ＲＡＮＡにおいてページングされる必要があることを検出し（９００Ｃ）、
識別されたネットワークノード（９０４）のセットに、ページングメッセージの無線送信を実施するための命令として前記ページングメッセージを配信する（９００Ｄ）
ように設定された第１のネットワークノード（９００）。
【請求項１７】
前記識別されたネットワークノード（９０４）のセットにおける前記ネットワークノードのうちの少なくともいくつかへの接続を確立するように設定され、かつ前記接続を使用して前記ページングメッセージを配信するように設定された、請求項１６に記載の第１のネットワークノード（９００）。
【請求項１８】
前記登録することおよび前記識別することを、前記ＲＡＮＡをサーブするコアネットワークノード（５００）を介して実施するように設定された、請求項１６または１７に記載の第１のネットワークノード（９００）。
【請求項１９】
前記配信することを、前記識別されたネットワークノード（９０４）のセットへの前記ページングメッセージの配信のための中継器としてのコアネットワークノード（５００）に前記ページングメッセージを送ることによって実施するように設定された、請求項１６に記載の第１のネットワークノード（９００）。
【請求項２０】
前記コアネットワークノード（５００）に送られた前記ページングメッセージが、前記ＲＡＮＡに、または前記識別されたネットワークノード（９０４）のセットにおける各ネットワークノードにアドレス指定される、請求項１９に記載の第１のネットワークノード（９００）。
【請求項２１】
前記コアネットワークノード（５００）を、前記ＲＡＮＡに属する別のネットワークノードから前記ワイヤレスデバイスのコンテキストを取り出すための中継器として使用するように設定された、請求項１８から２０のいずれか一項に記載の第１のネットワークノード（９００）。
【請求項２２】
前記第１のネットワークノード（９００）によってサポートされる複数のＲＡＮＡを前記データベース（９０２）に登録するように設定され、かつ前記ワイヤレスデバイスが登録されたＲＡＮＡのうちの少なくとも１つにおいてページングされる必要があることを検出するように設定された、請求項１６から２１のいずれか一項に記載の第１のネットワークノード（９００）。
【請求項２３】
前記登録することを、前記第１のネットワークノード（９００）のＩＰアドレスまたは完全修飾ドメイン名（ＦＱＤＮ）、および前記第１のネットワークノード（９００）によってサポートされる前記ＲＡＮＡの識別子を前記データベース（９０２）に登録することによって実施するように設定された、請求項１６から２２のいずれか一項に記載の第１のネットワークノード（９００）。
【請求項２４】
前記第１のネットワークノード（９００）が、前記登録することを、前記第１のネットワークノード（９００）が前記ＲＡＮＡに配置されるとき、または、以前になされた登録が更新される必要があるため、前記第１のネットワークノード（９００）が再設定されるときに実施するように設定される、請求項１６から２３のいずれか一項に記載の第１のネットワークノード（９００）。
【請求項２５】
前記識別することを、ルックアップキーとしての前記ＲＡＮＡの識別子を伴うクエリを前記データベース（９０２）に送ることによって実施するように設定された、請求項１６から２４のいずれか一項に記載の第１のネットワークノード（９００）。
【請求項２６】
前記ページングメッセージを前記ＲＡＮＡに属する別のネットワークノードから受信するように設定され、かつ前記ＲＡＮＡに属する前記ネットワークノードのうちの少なくともいくつかに、接続を通して前記ページングメッセージを転送することによってハブノードとして働くように設定された、請求項１６から２５のいずれか一項に記載の第１のネットワークノード（９００）。
【請求項２７】
別のＲＡＮＡに属する第２のネットワークノードを前記データベース（９０２）において識別するように設定され、かつ前記第２のネットワークノードから前記第１のネットワークノード（９００）へとハンドオーバされる前記ワイヤレスデバイスのコンテキストを前記第２のネットワークノードから取り出すように設定された、請求項１６から２６のいずれか一項に記載の第１のネットワークノード（９００）。
【請求項２８】
前記第１のネットワークノード（９００）が、第１のホップで、前記識別されたネットワークノードのセットにおける近隣ネットワークノードのサブセットにのみ前記ページングメッセージを送るように設定され、その結果、前記ページングメッセージが、前記近隣ネットワークノードから同じＲＡＮＡに属するそのそれぞれの近隣ネットワークノードへと前記ページングメッセージを転送する少なくとも第２のホップを使って、前記識別されたネットワークノードのセットに配信される、請求項１６から２７のいずれか一項に記載の第１のネットワークノード（９００）。
【請求項２９】
前記ページングメッセージが、同じページングメッセージがそこから受信されているいずれかのネットワークノードに前記ページングメッセージが転送されるのを回避するために使用され得るメッセージ識別子を含む、請求項２８に記載の第１のネットワークノード（９００）。
【請求項３０】
少なくとも１つのプロセッサ上で実行されるとき、前記少なくとも１つのプロセッサに、請求項１から１５のいずれか一項に記載の方法を遂行させる命令を含むコンピュータプログラム。
【請求項３１】
請求項３０に記載のコンピュータプログラムを収容するキャリアであって、電子信号、光信号、無線信号、コンピュータプログラム製品、またはコンピュータ可読ストレージ媒体のうちの１つであるキャリア。
【請求項３２】
ワイヤレスデバイスのページングを扱うように構成された、ワイヤレスネットワークの第１のネットワークノード（９００）であって、
前記第１のネットワークノード（９００）によってサポートされる無線アクセスネットワークエリア（ＲＡＮＡ）をデータベース（９０２）に登録するように設定された登録ユニット（９００Ａ）と、
前記ＲＡＮＡをサポートするネットワークノード（９０４）のセットを前記データベース（９０２）において識別するように設定された識別ユニット（９００Ｂ）と、
ワイヤレスデバイスが前記ＲＡＮＡにおいてページングされる必要があることを検出するように設定された検出ユニット（９００Ｃ）と、
識別されたネットワークノード（９０４）のセットに、ページングメッセージの無線送信を実施するための命令として前記ページングメッセージを配信するように設定された配信ユニット（９００Ｄ）と
を含む第１のネットワークノード（９００）。
【請求項３３】
前記識別されたネットワークノード（９０４）のセットにおける前記ネットワークノードのうちの少なくともいくつかへの接続を確立するように設定され、かつ前記接続を使用して前記ページングメッセージを配信するように設定された、請求項３２に記載の第１のネットワークノード（９００）。
【請求項３４】
前記登録することおよび前記識別することを、前記ＲＡＮＡをサーブするコアネットワークノード（５００）を介して実施するように設定された、請求項３２または３３に記載の第１のネットワークノード（９００）。
【請求項３５】
前記配信することを、前記識別されたネットワークノード（９０４）のセットへの前記ページングメッセージの配信のための中継器としてのコアネットワークノード（５００）に前記ページングメッセージを送ることによって実施するように設定された、請求項３２に記載の第１のネットワークノード（９００）。
【請求項３６】
前記コアネットワークノード（５００）に送られた前記ページングメッセージが、前記ＲＡＮＡに、または前記識別されたネットワークノード（９０４）のセットにおける各ネットワークノードにアドレス指定される、請求項３５に記載の第１のネットワークノード（９００）。
【請求項３７】
前記コアネットワークノード（５００）を、前記ＲＡＮＡに属する別のネットワークノードから前記ワイヤレスデバイスのコンテキストを取り出すための中継器として使用するように設定された、請求項３４から３６のいずれか一項に記載の第１のネットワークノード（９００）。
【請求項３８】
前記第１のネットワークノード（９００）によってサポートされる複数のＲＡＮＡを前記データベース（９０２）に登録するように設定され、かつ前記ワイヤレスデバイスが登録されたＲＡＮＡのうちの少なくとも１つにおいてページングされる必要があることを検出するように設定された、請求項３２から３７のいずれか一項に記載の第１のネットワークノード（９００）。
【請求項３９】
前記登録することを、前記第１のネットワークノード（９００）のＩＰアドレスまたは完全修飾ドメイン名（ＦＱＤＮ）、および前記第１のネットワークノード（９００）によってサポートされる前記ＲＡＮＡの識別子を前記データベース（９０２）に登録することによって実施するように設定された、請求項３２から３８のいずれか一項に記載の第１のネットワークノード（９００）。
【請求項４０】
前記第１のネットワークノード（９００）が、前記登録することを、前記第１のネットワークノード（９００）が前記ＲＡＮＡに配置されるとき、または、以前になされた登録が更新される必要があるため、前記第１のネットワークノード（９００）が再設定されるときに実施するように設定される、請求項３２から３９のいずれか一項に記載の第１のネットワークノード（９００）。
【請求項４１】
前記識別することを、ルックアップキーとしての前記ＲＡＮＡの識別子を伴うクエリを前記データベース（９０２）に送ることによって実施するように設定された、請求項３２から４０のいずれか一項に記載の第１のネットワークノード（９００）。
【請求項４２】
前記ページングメッセージを前記ＲＡＮＡに属する別のネットワークノードから受信するように設定され、かつ前記ＲＡＮＡに属する前記ネットワークノードのうちの少なくともいくつかに、接続を通して前記ページングメッセージを転送することによってハブノードとして働くように設定された、請求項３２から４１のいずれか一項に記載の第１のネットワークノード（９００）。
【請求項４３】
別のＲＡＮＡに属する第２のネットワークノードを前記データベース（９０２）において識別するように設定され、かつ前記第２のネットワークノードから前記第１のネットワークノード（９００）へとハンドオーバされる前記ワイヤレスデバイスのコンテキストを前記第２のネットワークノードから取り出すように設定された、請求項３２から４２のいずれか一項に記載の第１のネットワークノード（９００）。
【請求項４４】
前記第１のネットワークノード（９００）が、第１のホップで、前記識別されたネットワークノードのセットにおける近隣ネットワークノードのサブセットにのみ前記ページングメッセージを送るように設定され、その結果、前記ページングメッセージが、前記近隣ネットワークノードから同じＲＡＮＡに属するそのそれぞれの近隣ネットワークノードへと前記ページングメッセージを転送する少なくとも第２のホップを使って、前記識別されたネットワークノードのセットに配信される、請求項３２から４３のいずれか一項に記載の第１のネットワークノード（９００）。
【請求項４５】
前記ページングメッセージが、同じページングメッセージがそこから受信されているいずれかのネットワークノードに前記ページングメッセージが転送されるのを回避するために使用され得るメッセージ識別子を含む、請求項４４に記載の第１のネットワークノード（９００）。
【発明の詳細な説明】
【技術分野】
【０００１】
本開示は、一般に、ワイヤレスデバイスのページングを扱うための、方法およびワイヤレスネットワークの第１のネットワークノードに関する。
【背景技術】
【０００２】
用語「ワイヤレスネットワーク」は、本説明で、ワイヤレスデバイスと無線通信が可能な基地局、アクセスポイント、ｅＮｏｄｅＢ、その他などのネットワークノードを含む、任意のネットワークを表すために使用される。用語「無線アクセスネットワーク（ＲＡＮ）」は、本開示全体を通して、ワイヤレスネットワークの代わりに同義で使用することができる。ワイヤレスデバイスとそのような無線通信を実施するネットワークにおけるノードはまた、本明細書では広く「ネットワークノード」と表される。用語「無線アクセスノード」は、本開示全体を通して、ネットワークノードの代わりに同義で使用することができる。ワイヤレスネットワークまたはＲＡＮは、コアネットワーク（ＣＮ）にさらに接続されてよい。
【０００３】
さらに、用語「ワイヤレスデバイス」は、ワイヤレスネットワークと、すなわち、ワイヤレスネットワークの一部である無線アクセスネットワーク（ＲＡＮ）に含まれるネットワークノードと、無線通信が可能な任意の通信装置を表す。本明細書で説明する手順に関与することができるワイヤレスデバイスのいくつかの非限定的な例には、モバイル電話、スマートフォン、タブレット、ラップトップコンピュータ、およびマシンツーマシン（Ｍ２Ｍ）デバイスが含まれる。
【０００４】
Ｌｏｎｇ  Ｔｅｒｍ  Ｅｖｏｌｕｔｉｏｎ（ＬＴＥ）ワイヤレスネットワークにおいて、ワイヤレスデバイスについての主な状態の１つが、いわゆるアイドルモードであり、このモードのワイヤレスデバイスは、たとえばデータを受信するためにワイヤレスデバイスがコンタクトされるのを可能にするために、ワイヤレスネットワークの一部であるコアネットワーク（ＣＮ）においてはコンテキスト（すなわち、ワイヤレスデバイスに関係した情報／データ）を有するものの、ＲＡＮにおいては未確認である。このアイドルモードまたはアイドル状態において、トラッキングエリアのリストは、ＣＮによってワイヤレスデバイスに配分されている。ワイヤレスデバイスは、普通、リストにはないトラッキングエリアに入るときに、トラッキングエリア更新要求と呼ばれる更新メッセージをネットワークに送ることによって、ＣＮに通知するように設定される。このようにＣＮは、トラッキングエリアリストの正確さによって、ワイヤレスデバイスがどこに位置しているかを把握することができる。ＣＮがワイヤレスデバイスにコンタクトする必要があるとき、たとえば、ワイヤレスデバイスに送付されるべきなんらかのデータが存在するとき、ＣＮは、ワイヤレスデバイスの割り当てられたトラッキングエリアのリストに含まれるトラッキングエリアにおいて、ワイヤレスデバイスのページングを開始する。
【０００５】
ワイヤレスデバイスがコンタクトされ、ページングされる必要があるとき、ＣＮは、ワイヤレスデバイスの割り当てられたトラッキングエリアリストに含まれたトラッキングエリアをサポートするネットワークノードに、ページングメッセージを配信することを担当する。これらのネットワークノードは次いで、予測可能な、部分的にデバイス個別のページング機会に、ページングメッセージを送信することになり、その結果、ワイヤレスデバイスは、デバイスがどこに位置するかに応じて、送信ネットワークノードのうちの少なくとも１つからメッセージを受信することができる。この手順を可能にするために、各ネットワークノードは、たとえば、Ｓ１−ＭＭＥインターフェースが確立されるときに、ネットワークノードがどのトラッキングエリアをサポートするかについて、ＭＭＥに通知する必要がある。こうして、あるワイヤレスデバイスがページングされることになるとき、ＭＭＥは、トラッキングエリアリストに従って、どのネットワークノードにページングメッセージが配信されるべきかを見つけ出すことができる。
【０００６】
この手順が図１に示されており、ここで、ワイヤレスデバイスＤ１は、たとえば、規則的な間隔で、またはデバイスＤ１が新しいトラッキングエリア（ＴＡ）の中に移る度に、アクション１：１によって示すように、トラッキングエリア更新メッセージをＭＭＥまたはアンカーノード１００に送る。別のアクション１：２で、ＭＭＥまたはアンカーノード１００は、ワイヤレスデバイスＤ１に向けられたデータを受信し、別のアクション１：３で、その最後のトラッキングエリア更新メッセージに従って、ワイヤレスデバイスＤ１がおそらく存在するＴＡ、この例ではＴＡ１を見つける。ＭＭＥまたはアンカーノード１００は次いで、続くアクション１：４で、ＴＡ１に属するネットワークノード１０２にページングメッセージを配信し、ページングメッセージは、ＴＡ１にあるネットワークノード１０２がページングメッセージの無線送信を実施することを事実上命令する、または可能にする。最終アクション１：５は、ページングメッセージが、それに応じてＴＡ１にあるネットワークノード１０２から送信されることを示している。
【０００７】
将来的なワイヤレスネットワーク、たとえば、第５世代（５Ｇ）に従って設定されるネットワークは、ワイヤレスデバイスの観点で上で説明した非接続アイドルモードに類似したＲＡＮ状態を用いることになるものと思われるが、ここで、ＣＮの観点では、ワイヤレスデバイスは接続されており、したがって、ＣＮは、ワイヤレスデバイスをアイドルとして見ない。このモードまたは状態では、ＲＡＮが、ページングを扱い、ワイヤレスデバイスからのエリア更新を受信する。そのような状態はまた、ＬＴＥネットワークと５Ｇネットワークとの緊密な統合を促進するために、ＬＴＥにおいても同様に導入されるものと思われる。この状態はまた「休眠状態」と呼ばれてもよく、本説明において、たとえばページング目的のためにワイヤレスデバイスに割り当てられたエリアは、ＲＡＮエリア（ＲＡＮＡ）と呼ばれる。休眠状態は、５Ｇにおけるアイドルモードの代わりに使用されてもよいし、またはアイドルモードと並行して存在してもよく、その結果、休眠状態とアイドルモードとが互いに補完することができる。
【０００８】
休眠状態では、アンカーノードが存在することになり、アンカーノードは、任意の制御およびユーザプレーンＳ１接続などの、ＣＮとのワイヤレスデバイスの関連付けられた接続を維持する、ＲＡＮにおけるネットワークノードのうちの１つであり得る。このアンカーノードはまた、ワイヤレスデバイスが休眠状態にあるときにその現在のＲＡＮＡにおいてリスンすることができるネットワークノードの間で、ページングメッセージを開始し、配信することを担当することになる。
【０００９】
そのようなネットワークにおいてはＲＡＮがページング手順を扱うので、ＲＡＮは、どのネットワークノードが同じＲＡＮＡに属するのかを把握している必要がある。このことは、該当するエリアにおいてページングを可能にするために必要とされ、休眠状態にあるときのページ応答およびワイヤレスデバイスによって開始されたネットワークアクセスの間に、デバイスコンテキストを取り出すためにもまた有用であり得る。用語「コンテキスト」は、本明細書ではワイヤレスデバイスに関係した情報／データを指し、この情報／データは、静的および／または動的であってよく、ワイヤレスデバイスに関連付けられた能力またはサブスクリプションに関係した情報は、前者の例であってよく、確立されたベアラ、最近のモビリティ統計、および最後に確認された位置は、後者の例であってよい。本説明全体を通して、ネットワークノードがＲＡＮＡをサポートするとは、ネットワークノードがＲＡＮＡに属することを意味する。各ネットワークノードは、したがって、好ましくは、同じＲＡＮＡに属するすべての他のネットワークノードに気付くべきであり、オプションとしてまた、同じＲＡＮＡにおけるすべての他のネットワークノードへの接続（たとえば、Ｘ２インターフェースまたは対応するインターフェース）を有して、ページ配信を促進する。
【００１０】
しかしながら、このことは、ノードがページングを開始する、すなわち、ＭＭＥがページングに関与すべきすべてのネットワークノードに対する知識および必要なインターフェースを既に有している、ＬＴＥにおけるアイドル状態のページングと比較すると、困難または不可能であることがある。その上、ＲＡＮＡに属するネットワークノードのセットは、ネットワークノードが追加される、取り除かれる、移動する、または再設定されるときなどに、経時的に変化することがある。したがって、現在どのネットワークノードがＲＡＮＡに属しているかについての知識が不十分であるために、ページングされるＲＡＮＡにおける１つまたは複数のネットワークノードからページングメッセージが送信されないことがあるのは、問題である。
【発明の概要】
【００１１】
本明細書で説明する実施形態の目的は、上で概説した問題および課題のうちの少なくともいくつかに対処することである。この目的および他の目的は、添付の独立請求項に規定される方法および第１のネットワークノードを使用することによって成し遂げることが可能である。
【００１２】
一態様によれば、ワイヤレスデバイスのページングを扱うための方法が、ワイヤレスネットワークの第１のネットワークノードによって実施される。この方法において、第１のネットワークノードは、第１のネットワークノードによってサポートされる無線アクセスネットワークエリア（ＲＡＮＡ）をデータベースに登録する。第１のネットワークノードはさらに、ＲＡＮＡをサポートするネットワークノードのセットをデータベースにおいて識別する。ワイヤレスデバイスがＲＡＮＡにおいてページングされる必要があることを検出したとき、第１のネットワークノードは、識別されたネットワークノードのセットに、ページングメッセージの無線送信を実施するための命令としてページングメッセージを配信する。
【００１３】
別の態様によれば、ワイヤレスネットワークの第１のネットワークノードが、ワイヤレスデバイスのページングを扱うように構成される。第１のネットワークノードは、たとえば、登録ユニットを使って、第１のネットワークノードによってサポートされる無線アクセスネットワークエリア（ＲＡＮＡ）をデータベースに登録するように設定される。第１のネットワークノードはまた、たとえば、識別ユニットを使って、ＲＡＮＡをサポートするネットワークノードのセットをデータベースにおいて識別するように設定される。第１のネットワークノードはさらに、たとえば、検出ユニットおよび配信ユニットをそれぞれ使って、ワイヤレスデバイスがＲＡＮＡにおいてページングされる必要があることを検出し、識別されたネットワークノードのセットに、ページングメッセージの無線送信を実施するための命令としてページングメッセージを配信するように設定される。
【００１４】
上の方法および第１のネットワークノードの利点は、いかなる中央ページング配信ノードも使用せずに、ページングメッセージを、ネットワークノードそれ自身によって効率的なやり方で配信できることである。別の利点は、ＲＡＮＡの本質的にすべてのネットワークノードがこのようにしてそのＲＡＮＡサポートをデータベースに登録しているとき、ＲＡＮＡにおけるいかなるネットワークノードでも、データベースをルックアップし、優れた正確性および信頼性でＲＡＮＡのネットワークノードを識別し、ＲＡＮＡ全体にわたって識別されたネットワークノードにページングメッセージを配信することができることである。
【００１５】
上の方法および第１のネットワークノードは、下で説明するように、さらなる特徴および利益を達成するために、異なるオプションの実施形態に従って設定され、実装されてもよい。
【００１６】
これより、例としての実施形態を使って、かつ付属する図面を参照して、解決策をより詳細に説明する。
【図面の簡単な説明】
【００１７】
【図１】先行技術による、ワイヤレスデバイスをページングするための従来の手順を示す通信シナリオの図である。
【図２】いくつかの考え得る実施形態による、ワイヤレスデバイスのページングを扱うための解決策をどのように用いることができるのかの例を示す通信シナリオの図である。
【図３】さらなる考え得る実施形態による、第１のネットワークノードにおける手順を示す流れ図である。
【図４】本明細書の実施形態による、異なるネットワークノードによってサポートされるときの登録されたＲＡＮＡを含むデータベースにおける例示的な情報テーブルの図である。
【図５】さらなる考え得る実施形態による、解決策をどのように用いることができるのかの別の例を示す通信シナリオの図である。
【図６】さらなる考え得る実施形態による、少なくとも２つの連続するホップにおいてページングメッセージがどのように配信されるのかの別の例を示す通信シナリオの図である。
【図７】さらなる考え得る実施形態による、別のＲＡＮＡのネットワークノードからデバイスコンテキストをどのように取り出すことができるのかの別の例を示す通信シナリオの図である。
【図８】さらなる考え得る実施形態による、第１のネットワークノードにおける手順の別の例を示す流れ図である。
【図９】さらなる考え得る実施形態による、第１のネットワークノードをより詳細に示すブロック図である。
【発明を実施するための形態】
【００１８】
簡潔に説明すると、ワイヤレスネットワークにおける少なくとも１つのＲＡＮＡのネットワークノードから無線を通して送信されることになるページングメッセージの効率的で適正な配信を可能にするための解決策が提供される。とりわけ、最新であるＲＡＮＡ情報を有し、ページングメッセージを配信する、上で説明したＭＭＥに対応する中央ノードが存在しないときでさえ、解決策は、現在特定のＲＡＮＡに属してそのＲＡＮＡをサポートするすべてのネットワークノードに、ページングメッセージを配信できることを保証するために使用されてよい。これは、どのネットワークノードがＲＡＮＡをサポートするかについての情報をデータベースに登録することによって達成することができ、ワイヤレスネットワークにおける任意のネットワークノードが次いで、データベースからＲＡＮＡ情報を取り出して、ＲＡＮＡにわたってページングが実施される度に、どのネットワークノードにページングメッセージが配信されるべきかを識別することができる。
【００１９】
この登録は、たとえば、ネットワークノードが確立されてワイヤレスネットワークに接続されるときに起こり得る、それぞれのネットワークノードが追加されるときに、すなわちＲＡＮに配置されるときに、ネットワークノードそれら自身によって行われる。登録はまた、（たとえば、運用保守システムがＲＡＮＡの境界を動かすことが得策であろうと判定したために）ネットワークノードが１つのＲＡＮＡから新しいＲＡＮＡに切り替わるときなど、以前になされた登録がそのネットワークノードのために更新される必要があるときに行われてもよい。ＲＡＮＡは、したがって、ネットワークノードを追加する、または取り除くことによって、折に触れて再設定されてよい。ネットワークノードはまた、以前になされたＲＡＮＡの登録が有効なままであるかを、たとえば規則的な間隔で、データベースに確かめることができる。
【００２０】
この解決策の利点は、５ＧネットワークおよびエボルブドＬＴＥネットワークなどの、いくつかのタイプのネットワークにおいて実装されないことがあるＭＭＥなどのいかなる中央ページング配信ノードも使用せずに、ページングメッセージの配信を、ネットワークノードそれら自身によって、効率的なやり方でローカルに行うことができることである。別の利点は、最新に保つことができるデータベースに登録された情報を使って、特定のＲＡＮＡをサポートするすべてのネットワークノードを優れた正確性および信頼性で識別できることを、解決策が保証することである。それによって、ＲＡＮＡにおける任意のネットワークノードが、データベースに登録された情報に基づいて、ＲＡＮＡをサポートするすべての他のネットワークノードにページングメッセージを配信することができる。
【００２１】
ＲＡＮＡの登録において、各ネットワークノードは、たとえば、ネットワークノードアイデンティティおよびＲＡＮＡアイデンティティをデータベースに入れることによって、ネットワークノード自身およびサポートされるＲＡＮＡを識別する。ネットワークノードはまた、ＩＰアドレス、またはドメイン名システム（ＤＮＳ）を介してＩＰアドレスに解決することができる完全修飾ドメイン名（ＦＱＤＮ）などの、ネットワークノードの現在使用されているネットワークアドレスを登録することができる。データベースは、ＲＡＮＡ情報を保有する目的のために専用の個別のストレージエンティティとして実装されてよい。データベースはまた、アイデンティティをＩＰアドレスに解決することが可能な動的なＤＮＳノードとして実現されてもよい。
【００２２】
ワイヤレスデバイスのページングを扱うための解決策をどのように用いることができるのかの例が、これより図２に示す通信シナリオを参照して説明される。このシナリオにおいて、ワイヤレスネットワークは、ＲＡＮＡ１、ＲＡＮＡ２、ＲＡＮＡ３、・・・で表される複数のＲＡＮＡを含み、ここでＲＡＮＡ  Ｎは、ネットワークにおけるＲＡＮＡのうちの１つである。ページングされるワイヤレスデバイスに到達するために、ページングメッセージがある特定のＲＡＮＡにわたって送信されることになるときに、ＲＡＮＡをサポートする各ネットワークノードがページングメッセージを送信する必要があるという意味で、各ＲＡＮＡは、ネットワークノードのセットによってサポートされており、その結果、ワイヤレスデバイスは、ＲＡＮＡ内のどこに位置しているかにかかわらず、ページングメッセージを受信するチャンスを有する。そのワイヤレスデバイスがそのＲＡＮＡにない場合、この図には示されていないが、ページングメッセージは、１つまたは複数の他のＲＡＮＡを含むより広いエリアにわたって配信される必要があることもある。
【００２３】
図２には、アクション２：１によって概略的に指示されるように、ＲＡＮＡ  Ｎをサポートする第１のネットワークノード２００を含む、ＲＡＮＡにおけるさまざまなネットワークノードが、どのＲＡＮＡを現在サポートしているかに関して情報をデータベース２０２に登録することが示されている。このアクティビティは、異なる独立した機会に、たとえば、ＲＡＮＡに配置されるとき、もしくはそのＲＡＮＡサポートが影響されるように再設定されるとき、または、単に以前の登録を延長するときに、ネットワークノードによって行われるいくつかの個々の登録に必然的に関与する。たとえば、ネットワークノードは同時に２つ以上のＲＡＮＡをサポートすることができるが、これは、２つの隣接したＲＡＮＡが、ネットワークノードのカバレッジエリアの異なる部分によって、たとえば異なるセルもしくは異なるセクタによってサポートされること、または、２つのＲＡＮＡが、そのようなネットワークノードによってサーブされるエリアにおいて部分的にオーバーラップするカバレッジを有してもよいことを意味する。アクション２：１は、したがって、たとえば、規則的にもしくは継続的に、または変更が生じる度に、「バックグラウンドで」いつでも実施されてよい。
【００２４】
次のアクション２：２は、ＲＡＮＡ  Ｎの第１のネットワークノード２００が、第１のネットワークノード２００自身のＲＡＮＡ  Ｎをサポートする、すなわちＲＡＮＡ  Ｎに属するネットワークノードを識別するために、データベース２０２にクエリすることを示している。このクエリは、データベースにおけるルックアップキーとして使用され得る、たとえば、ＦＱＤＮの形式でのＲＡＮＡ  Ｎの識別子、またはＲＡＮＡのみのために使用されるタイプの識別子を含むことができ、データベースはその後、クエリされたＲＡＮＡ  Ｎをサポートするネットワークノードのリストを返す。このリストにおいて、ネットワークノードは、そのＩＰアドレスによって、またはＩＰアドレスに変換することができるそれぞれのＦＱＤＮによって、識別されてよい。一般に、ＩＰアドレスは、ネットワークノードとの接続を確立するために有用なコンタクト情報として見ることができる。
【００２５】
アクション２：１の時点で、ネットワークノードがそのＲＡＮＡの登録を適切に実施している場合、このリストは、ＲＡＮＡ  Ｎをサポートするすべてのネットワークノードを含むことによって正確であるはずである。第１のネットワークノード２００は、常に最新であるＲＡＮＡ情報を有することを確実にするために、たとえば、規則的な間隔で、このアクションを繰り返すことができる。ネットワークノードのリストが取得されると、第１のネットワークノード２００はまた、各ネットワークノードのそれぞれのＩＰアドレスを使用して、リストにおける各ネットワークノードと接続を確立することができる。それによって、第１のネットワークノード２００は、第１のネットワークノード２００自身のＲＡＮＡ  Ｎにわたって任意のページングメッセージを配信するように準備される。
【００２６】
別のアクション２：３は、第１のネットワークノード２００が、たとえば図示されていないコアネットワークから、データを受信することを示しており、このデータは、ＲＡＮＡ  Ｎのどこかに位置する可能性があるとして検出されているワイヤレスデバイスＤ１にアドレス指定されている。ワイヤレスネットワークにおけるワイヤレスデバイスの予想される所在は、一般に、上で説明されたようなやり方で、たとえば、コアネットワークにおける好適な機能性によって、ワイヤレスデバイスからのトラッキングエリア更新メッセージに基づいて維持されてよい。この解決策において、そのような位置情報はＲＡＮＡの精度レベルに伴って利用可能であり、Ｄ１の現在推定されるＲＡＮＡ、このケースではＲＡＮＡ  Ｎが、好適なやり方で第１のネットワークノード２００に指示されてよいことが、単純に想定されている。
【００２７】
ワイヤレスデバイスＤ１に送信されるべきデータを受信すると、第１のネットワークノード２００は、Ｄ１にデータを送信することができるセッションを確立するために、デバイスＤ１がそこから無線信号を適切に受信してＤ１に向けられたページングメッセージを検出することができる、ネットワークノードを見つけることを担当する。この時点で、ネットワークノード２００は、したがって、現在ＲＡＮＡ  Ｎをサポートする実質的にすべてのネットワークノードを知り、これらのネットワークノードに、そのそれぞれのカバレッジエリア上の無線送信のためにページングメッセージを配信する必要がある。これは、アクション２：２が実施されたときに可能であり、そのアクションで取得されたネットワークノードのリストを、ページングメッセージが配信されるべき先のネットワークノードを見つけるためにこれより利用することができる。代替として、または加えて、アクション２：２は、データの受信時、すなわち、アクション２：３の後に実施されてもよい。
【００２８】
最終アクション２：４は、第１のネットワークノード２００がリストにあるネットワークノードにページングメッセージを配信することを示しており、その結果、ネットワークノードのうちのいずれかがデバイスＤ１からの応答を受信したかどうかを見るために無線を通してページングメッセージを送信することによって、ネットワークノードは、Ｄ１をページングすることができる。ＲＡＮＡ  ＮにおけるあるネットワークノードがＤ１からページ応答を受信した場合、そのネットワークノードは、第１のネットワークノード２００からデータをフェッチし、そのデータを通信セッションにおいてデバイスＤ１に送信することになる。ページング手順それ自体は、本開示の範囲外である従来のやり方で進められてよい。
【００２９】
図２のネットワークノード２００などの第１のネットワークノードによって実施されるアクションに関して、ワイヤレスデバイスのページングを扱うための解決策をどのように用いることができるのかの例を、これより図３の流れ図を参照して説明する。参照はまた、説明された特徴の適用可能性を限定または喪失することなく、図２に示す例における要素に対して行われることになる。この手順において、第１のネットワークノード２００は、ワイヤレスデバイスがページングされることになる度に、他のネットワークノードにページングメッセージを配信することが可能であることが想定されている。この例は１つのＲＡＮＡにおけるページングを指すものの、本例はまた、下で説明するやり方で２つ以上のＲＡＮＡにおけるページングにも適用できることを理解することができる。
【００３０】
図３によって示される手順は、したがって、上で説明した機能性および利益を達成するために使用されてよい。本説明において、用語「無線アクセスネットワークエリア（ＲＡＮＡ）」は、ワイヤレスデバイスが、ＲＡＮＡのネットワークノードからのページングメッセージの無線送信によってＲＡＮＡにおいてページングされ得るように、ＲＡＮＡをサポートするネットワークノードによってサーブされるセル、または類似したカバレッジエリアからなるエリアとして理解すべきである。「トラッキングエリア」および「ページングエリア」は、本明細書でやはり使用することができる代替用語の例である。
【００３１】
図３のアクションを、最初に簡潔に概説し、次いでオプションとして用いることができるいくつかの例示的な実施形態もまた説明し、明らかにする。最初のアクション３００は、第１のネットワークノード２００が、第１のネットワークノード２００によってサポートされるＲＡＮＡをデータベース２０２に登録することを示している。このアクションは、図２のアクション２：１に対応する。ネットワークノード２００は、ＲＡＮＡをサポートすることによって、このＲＡＮＡに「属する」と言うこともまたできる。このアクション３００において、「ＲＡＮＡ」は、単一のＲＡＮＡのみに限定はされないが、少なくとも１つのＲＡＮＡとして見られるべきであり、したがって、適用できる場合、２つ以上のサポートされるＲＡＮＡの登録を排除するものではない。この登録操作において、第１のネットワークノード２００は、やはり同じＲＡＮＡをサポートする他のネットワークノードついての情報を、データベース２０２から取得することができる。
【００３２】
次のアクション３０２で、第１のネットワークノード２００は、第１のネットワークノード２００が属するＲＡＮＡ、すなわち、第１のネットワークノード２００自身のＲＡＮＡをサポートするネットワークノード２０４のセットを、データベース２０２において識別する。すべてのネットワークノード２０４がそのＲＡＮＡサポートを登録しているという条件で、この情報を、信頼性があり有効であるとみなすことができる。
【００３３】
図４は、上で説明したやり方でデータベースに登録されている情報の例を示すテーブルである。したがって、第１のセットのネットワークノード１１、１２、１３、・・・がＲＡＮＡ１をサポートし、第２のセットのネットワークノード２１、２２、２３、・・・がＲＡＮＡ２をサポートし、第３のセットのネットワークノード３１、３２、３３、・・・がＲＡＮＡ３をサポートする、などであることが示されている。「ノードｘｘ」として概略的に示された各ネットワークノードについて登録された情報は、ネットワークノード識別子、およびそれぞれのノードへの接続を確立するために使用され得るなんらかの好適なコンタクト情報を含む。
【００３４】
次のオプションとしてのアクション３０４は、第１のネットワークノード２００が、この時点で、たとえば、データベースに登録されたネットワークノードのコンタクト情報を使用することによって、ＲＡＮＡをサポートする識別されたネットワークノード２０４のセットにおけるネットワークノードへの接続を確立することができることを示している。さらなるアクション３０６で、第１のネットワークノード２００は、ワイヤレスデバイスＤ１が、上で言及したＲＡＮＡにおいてページングされる必要があることを検出する。これは、図２のアクション２：３の時点でデバイスＤ１に送信されるべきデータを受信するときに行われてもよい。上で指示されたように、ネットワークノードへの接続は、オプションとして、デバイスＤ１がページングされる必要があることを検出した後に確立されてもよく、その結果、アクション３０４はアクション３０６の後に実施されることになる。このアクションでは、デバイスＤ１が１つまたは複数の他のＲＡＮＡにおいても同様にページングされる必要があることを検出することもまた可能である。たとえば、デバイスＤ１は、最初に１つのＲＡＮＡにおいてページングされてよく、そのＲＡＮＡにおいて見つけられない場合に、ページングは、１つまたは複数の他のＲＡＮＡにわたって拡げられてもよい。
【００３５】
最終アクション３０８は、第１のネットワークノード２００が、識別されたネットワークノード２０４のセットに、ページングメッセージの無線送信を実施するための命令としてページングメッセージを配信することを示している。アクション３０４の時点で先に行われていなかった場合に、アクション３０８で、第１のネットワークノード２００は、ページングメッセージの配信を可能にするために、ネットワークノード２０４のセットにおける各ネットワークノードへの接続が確立されていることを確実にすることになる。ページングメッセージはまた、ページングメッセージが複数の「ホップ」で配信され得るように、中間ネットワークノードを介してネットワークノードに送られてもよい。そのような配信の例は、図６を参照して後ほど下で説明する。
【００３６】
上の手順で使用することができる、いくつかの非限定的な例示的な実施形態をこれより説明する。一例示的な実施形態において、第１のネットワークノード２００は、識別されたネットワークノード２０４のセットにおけるネットワークノードのうちの少なくともいくつかへの接続を確立することができ、次いで、たとえばアクション３０４について上で説明したように、前記接続を使用してページングメッセージを配信することができる。第１のネットワークノード２００は、他のＲＡＮＡをサポートする１つまたは複数のネットワークノードへの接続も同様にさらに確立することができる。
【００３７】
別の例示的な実施形態において、第１のネットワークノード２００は、ＲＡＮＡをサーブするコアネットワークノードを介して、前記登録することおよび前記識別することを実施することができる。そうである場合、別の例示的な実施形態は、配信するアクションが、識別されたネットワークノードのセットへのページングメッセージの配信のための中継器としてのコアネットワークノードにページングメッセージを送ることを含むことができる、実施形態であってもよい。これらの実施形態は、現在のＲＡＮＡが他のＲＡＮＡに向けた接続を有さないときに、有用であってよい。
【００３８】
別の例示的な実施形態において、コアネットワークノードに送られたページングメッセージは、ＲＡＮＡに、または識別されたネットワークノード２０４のセットにおける各ネットワークノードにアドレス指定されてよい。いずれのケースでも、コアネットワークノードは、ＲＡＮＡのすべてのネットワークノードにコンタクトし、それらにページングメッセージを中継することができる。別の例示的な実施形態において、コアネットワークノードはまた、ＲＡＮＡに属する別のネットワークノードから、ワイヤレスデバイスのコンテキストを取り出すための中継器として使用されてもよい。
【００３９】
例としての実施形態において、コンテキストの取り出しは、コンテキスト識別子によって可能にされてよく、コンテキスト識別子は、コンテキストを記憶するネットワークノードの識別子、および好ましくは、コンテキストを記憶するネットワークノード内でコンテキストを識別する部分もまた含む。コンテキスト識別子は、ワイヤレスデバイスがネットワークにコンタクトするとき、たとえば、ページに応答するとき、または休眠状態からアクティブ状態に切り替わるときに、ワイヤレスデバイスから提供されてよい。ページングのケースでは、コンテキスト識別子がページングメッセージに含まれ、次いでページングメッセージが、アンカーノードから、ワイヤレスデバイスのページングに参加するネットワークノードに配信されることもまた選択肢であってもよい。
【００４０】
上で説明した実施形態においてコアネットワークノードをどのように用いることができるかの例が図５に示されており、ここで、第１のネットワークノード２００はコアネットワークノード５００に接続されており、コアネットワークノード５００は、データベース２０２におけるＲＡＮＡ  ＮのネットワークノードからのＲＡＮＡの登録を伝達し、ＲＡＮＡ  Ｎのネットワークノードへのページングメッセージの配信を支援するように設定されている。最初のアクション５：１は、第１のネットワークノード２００が、コアネットワークノード５００を介して、ネットワークノード２００によってサポートされるＲＡＮＡ  ＮのＲＡＮＡの登録を実施することを示している。本明細書には示されていないが、ＲＡＮＡ  Ｎの他のネットワークノードもまたＲＡＮＡの登録を実施し、その結果、たとえば図４に示すように、データベース２０２は、上で説明したやり方で、ＲＡＮＡ情報でポピュレートされることが想定されている。
【００４１】
別のアクション５：２で、第１のネットワークノード２００は、ＲＡＮＡ  Ｎをサポートするネットワークノード２０４のセットを、データベース２０２において識別し、識別は、コアネットワークノード５００を介して、データベース２０２にデータベースクエリなどを送ることによって行われる。別のアクション５：３で、第１のネットワークノード２００は、ＲＡＮＡ  Ｎのネットワークノード２０４への配信のために、コアネットワークノード５００にページングメッセージを送る。コアネットワークノード５００は次いで、アクション５：４で、ページングメッセージを、ＲＡＮＡ  Ｎのすべてのネットワークノード２０４に中継する。
【００４２】
ネットワークノードは、２つ以上のＲＡＮＡを同時にサポートし、そこに属することができることが上で言及された。別の例示的な実施形態において、そのケースでは、第１のネットワークノード２００が、第１のネットワークノード２００によってサポートされる複数のＲＡＮＡを、データベース２０２に登録することができる。第１のネットワークノード２００は次いで、ワイヤレスデバイスが登録されたＲＡＮＡのうちの少なくとも１つにおいてページングされる必要があることを検出することができる。そのケースでは、第１のネットワークノード２００が、データベースにある情報を使用して、少なくとも１つのＲＡＮＡにわたってページングメッセージを配信することができる。
【００４３】
別の例示的な実施形態において、アクション３００で実施される登録することは、第１のネットワークノード２００のＩＰアドレスまたは完全修飾ドメイン名（ＦＱＤＮ）、および第１のネットワークノード２００によってサポートされるＲＡＮＡの識別子を、データベース２０２に登録することを含むことができる。別の例示的な実施形態において、アクション３００の前記登録することは、第１のネットワークノード２００がＲＡＮＡに配置されるとき、または第１のネットワークノード２００が再設定されているときに実施されてよく、その結果、以前になされた登録が更新される必要がある。別の例示的な実施形態において、アクション３０２で実施される識別することは、やはり上で言及したルックアップキーとしてのＲＡＮＡの識別子を伴うクエリをデータベース２０２に送ることを含むことができる。
【００４４】
別の例示的な実施形態において、ページングメッセージは、ＲＡＮＡに属する別のネットワークノードから受信されてもよく、そのケースでは、第１のネットワークノード２００が、ＲＡＮＡに属するネットワークノードのうちの少なくともいくつかに、接続を通してページングメッセージを転送することによって、ハブノード、中継ノード、または転送ノードとして働くことができる。
【００４５】
別の例示的な実施形態において、第１のネットワークノード２００は、第１のホップで、識別されたネットワークノードのセットにおける近隣ネットワークノードのサブセットにのみページングメッセージを送ることができ、その結果、ページングメッセージは、近隣ネットワークノードから同じＲＡＮＡに属するそのそれぞれの近隣ネットワークノードへとページングメッセージを転送する少なくとも第２のホップを使って、識別されたネットワークノードのセットにわたって配信される。
【００４６】
この実施形態をどのように用いることができるのかの例が図６に示されており、ここで、第１のネットワークノード２００は、第１のホップとして指示される３つの近隣ネットワークノードにページングメッセージを送る。ページングメッセージを受信すると、それらの３つの近隣ネットワークノードの各々は、第２のホップとして指示されるそのそれぞれの近隣ネットワークノードにページングメッセージを転送する。この実施形態において、ネットワークのサイズおよび設定に応じて、ページングメッセージは、任意の数の近隣ネットワークノードに送られてよく、メッセージがＲＡＮＡのすべてのネットワークノードに到達する前に、任意の数のホップを求めることができる。本実施形態は、したがって、この点において限定はされない。
【００４７】
別の例示的な実施形態において、複数のホップが用いられるとき、ページングメッセージは、メッセージ識別子を含むことができ、メッセージ識別子は、同じページングメッセージがそこから受信されているいずれかのネットワークノードにページングメッセージが転送されるのを回避するために使用されてよい。たとえば、第１のホップでページングメッセージを受信したネットワークノードは、それによって、第１のホップでメッセージを送ったネットワークノードに再び第２のホップでページングメッセージを送ることを回避することができる。別の例示的な実施形態において、第１のネットワークノード２００はまた、上で言及した近隣ネットワークノードのサブセットへの接続を確立することができ、次いで第１のホップで、前記接続を使用してページングメッセージを送ることができる。
【００４８】
別の例示的な実施形態において、第１のネットワークノード２００は、別のＲＡＮＡに属する第２のネットワークノードをデータベース２０２において識別し、ワイヤレスデバイスが第２のネットワークノードから第１のネットワークノード２００へとハンドオーバされるときに、ワイヤレスデバイスのコンテキストを第２のネットワークノードから取り出すことができる。図７は、データベース２０２に登録されているＲＡＮＡ情報を使用することによって、第１のネットワークノード２００がどのようにデバイスコンテキストを取り出すことができるかの例を示している。
【００４９】
この例では、ワイヤレスデバイスＤ１を、第２のネットワークノード７００から第１のネットワークノード２００へとハンドオーバするためのハンドオーバ手順が開始されていることが想定されている。最初のアクション７：１で、ＲＡＮＡ１に属する第１のネットワークノード２００は、ＲＡＮＡ２に属してＲＡＮＡ２をサポートする第２のネットワークノード７００を識別する。このアクションでの第１のネットワークノード２００はまた、ネットワークノード７００がそのＲＡＮＡ情報と一緒にデータベース２０２に登録しているコンタクト情報を使用して、ネットワークノード７００との接続を確立する。次のアクション７：２は、第１のネットワークノード２００が、識別された第２のネットワークノード７００からデバイスＤ１のコンテキストを取り出すことを示しており、このコンテキストは、ハンドオーバが完了した後のデバイスＤ１と通信するために第１のネットワークノード２００によって使用される。デバイスコンテキストの取り出しおよび使用それ自体は、通常のやり方で行うことができるが、本開示の範囲外である。
【００５０】
解決策を用いるとき、上の第１のネットワークノード２００などのワイヤレスネットワークのネットワークノードがどのように動作することができるのかの別の例を、これより図８の流れ図を参照して説明する。この例では、たとえば、アクション２：１および３００について説明したように、データベースにおける上のＲＡＮＡの登録が、ワイヤレスネットワーク全体を通したネットワークノードによって実施されていることが想定されている。最初のアクション８００は、ネットワークノードがコアネットワークからページング要求を受信し、したがって、ワイヤレスデバイスにアドレス指定されたページングメッセージを配信するようにネットワークノードに要求することを示している。このアクションは、基本的に図２のアクション２：３に対応する。
【００５１】
次のアクション８０２で、ネットワークノードは、ページングメッセージがＲＡＮＡにおけるネットワークノードによって送信されるべきＲＡＮＡを判定する、すなわち、識別する。その後、次のアクション８０４で、判定されたＲＡＮＡがネットワークノード自身のサポートされるＲＡＮＡであるか否かが検査される。そうである場合、ネットワークノードは、別のアクション８０６で、ネットワークノード自身のＲＡＮＡをサポートするネットワークノードのセットをデータベースにおいて識別する。判定されたＲＡＮＡがネットワークノードによってサポートされているのではない別のＲＡＮＡである場合、ネットワークノードは、別のアクション８０８で、他のＲＡＮＡをサポートするネットワークノードのセットをデータベースにおいて識別する。アクション８０６が実行されたのか、またはアクション８０８が実施されたのかにかかわらず、最終アクション８１０は、ネットワークノードが、アクション８０４の結果に応じて、アクション８０６またはアクション８０８のいずれかで識別されたネットワークノードのセットに、ページングメッセージを配信することを示している。
【００５２】
図９のブロック図は、上で説明した解決策およびその実施形態をもたらすために、ワイヤレスネットワークの第１のネットワークノード９００がどのように構築され得るかの詳細な、しかし非限定的な例を示している。
【００５３】
第１のネットワークノード９００は、したがって、上で説明した例および実施形態のうちのいずれかに従って動作するように設定されてよい。第１のネットワークノード９００は、プロセッサＰおよびメモリＭを含むように示されており、メモリＭは、前記プロセッサＰによって実行可能な命令を含み、それに従って、第１のネットワークノード９００は本明細書で説明したように動作する。第１のネットワークノード９００はまた、本明細書で説明したやり方で情報を受信し、送るための好適な装置に相当する通信ユニットＣを含む。通信ユニットＣは、Ｘ２インターフェースなどの好適なインターフェース上で、実装に応じて説明された通信のために好適なプロトコルを使用する、ワイヤレスネットワークのネットワークノードとの通信用に設定される。本明細書における解決策および実施形態は、したがって、通信のためにいかなる個別のタイプのネットワーク、技術、またはプロトコルを使用することにも限定はされない。
【００５４】
第１のネットワークノード９００は、図３および図８の流れ図のアクションのうちの少なくともいくつかを実施するように設定された、または構成された手段を含む。第１のネットワークノード９００は、ワイヤレスデバイスのページングを扱うように構成される。第１のネットワークノード９００は、第１のネットワークノード９００によってサポートされる無線アクセスネットワークエリア（ＲＡＮＡ）を、データベース９０２に登録するように設定される。この操作は、第１のネットワークノード９００における登録ユニット９００Ａによって、たとえば、上のアクション３００について説明したやり方で実施されてよい。
【００５５】
第１のネットワークノード９００はまた、ＲＡＮＡをサポートするネットワークノード９０４のセットを、データベース９０２において識別するように設定される。この操作は、第１のネットワークノード９００における識別ユニット９００Ｂによって、たとえば、上のアクション３０２について説明したやり方で実施されてよい。第１のネットワークノード９００はさらに、ワイヤレスデバイスがＲＡＮＡにおいてページングされる必要があることを検出するように設定される。この操作は、第１のネットワークノード９００における検出ユニット９００Ｃによって、たとえば、上のアクション３０６について説明したやり方で実施されてよい。
【００５６】
第１のネットワークノード９００はさらに、識別されたネットワークノード９０４のセットに、ページングメッセージの無線送信を実施するための命令としてページングメッセージを配信するように設定される。この操作は、第１のネットワークノード９００における配信ユニット９００Ｄによって、たとえば、上のアクション３０８について説明したやり方で実施されてよい。
【００５７】
図９は、第１のネットワークノード９００におけるさまざまな機能ユニットを示しており、当業者は、好適なソフトウェアおよびハードウェアを使用してこれらの機能ユニットを実際に実装することができることに留意されたい。したがって、解決策は、一般に、第１のネットワークノード９００の示された構造には限定されず、その中の機能ユニット９００Ａ〜Ｄは、適切な場合、本開示で説明した特徴および実施形態のいずれかに従って動作するように設定されてもよい。
【００５８】
上で説明した機能ユニット９００Ａ〜Ｄは、好適なハードウェア、およびコード手段を含むコンピュータプログラムのプログラムモジュールを使って、第１のネットワークノード９００において実装されてよく、コード手段は、プロセッサＰによって起動されるとき、第１のネットワークノード９００に、上で説明したアクションおよび手順のうちの少なくともいくつかを実施させる。プロセッサＰは、単一の中央処理ユニット（ＣＰＵ）を含むことができ、または２つ以上の処理ユニットを含んでもよい。たとえば、プロセッサＰは、汎用マイクロプロセッサ、命令セットプロセッサ、および／もしくは関連したチップセット、ならびに／または特定用途向け集積回路（ＡＳＩＣ）などの特殊目的マイクロプロセッサを含むことができる。プロセッサＰはまた、キャッシュ目的のためのストレージを含むことができる。
【００５９】
各コンピュータプログラムは、コンピュータ可読媒体を有し、プロセッサＰに接続されているメモリの形式での、第１のネットワークノード９００におけるコンピュータプログラム製品によって保持されてよい。第１のネットワークノード９００におけるコンピュータプログラム製品またはメモリは、したがって、たとえば、コンピュータプログラムモジュールなどの形式で、その上にコンピュータプログラムが記憶されたコンピュータ可読媒体を含むことができる。たとえば、メモリは、フラッシュメモリ、ランダムアクセスメモリ（ＲＡＭ）、読み出し専用メモリ（ＲＯＭ）、電気的に消去可能なプログラマブルＲＯＭ（ＥＥＰＲＯＭ）、またはハードドライブストレージ（ＨＤＤ）であってよく、プログラムモジュールは、代替実施形態において、第１のネットワークノード９００内のメモリの形式での異なるコンピュータプログラム製品上に分散されてもよい。
【００６０】
本明細書で説明した解決策は、したがって、適切な場合、少なくとも１つのプロセッサ上で実行されるときに、少なくとも１つのプロセッサに、上の特徴および実施形態のうちのいずれかによるアクションを遂行させる命令を含むコンピュータプログラムを使って、第１のネットワークノード９００において実装されてよい。上のコンピュータプログラムを収容する好適はキャリアがまた、解決策を実装するときに使用されてよく、ここでキャリアは、電子信号、光信号、無線信号、コンピュータプログラムストレージ製品、またはコンピュータ可読ストレージ媒体のうちの１つである。
【００６１】
上で説明した解決策およびその実施形態の利点は、ＭＭＥなどのいかなる中央ページング配信ノードも使用せずに、ページングメッセージの配信をＲＡＮＡ内で内部的に扱うことができることを含む。さらに、ワイヤレスネットワーク全体を通してネットワークノードに利用可能なデータベースに登録された情報を使って、特定のＲＡＮＡをサポートするすべてのネットワークノードを優れた正確性および信頼性で識別することができる。それによって、ワイヤレスネットワークにおける任意のネットワークノードが、上で説明したやり方でページングメッセージの配信を実施することができる。
【００６２】
上で説明した解決策およびその実施形態のいくつかのさらなる例および特徴を、これより議論する。
【００６３】
ネットワークノードがデータベースに登録された情報にインパクトを与える設定変更を条件とされている場合、ネットワークノードは、データベースにおける情報を更新すべきである。ネットワークノードはまた、設定変更によって潜在的に影響され得るＲＡＮＡにおける他のネットワークノードに通知することができる。同様に、新しいネットワークノードが配置される場合、新しいネットワークノードは、そのＲＡＮＡおよびコンタクト情報をデータベースに登録し、データベースに同じＲＡＮＡを登録している
すべての他のネットワークノードを識別すべきである。新しいネットワークノードはさらに、ＲＡＮＡのこれらのネットワークノードへの接続／インターフェースを確立することができる。オプションとして、ネットワークノードは、たとえば、ネットワークノードが受信することに失敗した可能性のある、ネットワークノード設定のなんらかの変更のためのバックアップ解決策として、データベースにおける該当する更新について定期的に検査することができる。
【００６４】
データベースはＤＮＳノードにおいて実現することができることが上で言及された。このケースでは、ＲＡＮＡのネットワークノードが、場合によりそれぞれのネットワークノードＩＤをＦＱＤＮとして登録することに加えて、それらのＲＡＮＡ  ＩＤをＦＱＤＮとして登録することができ、ＤＮＳノードへのＲＡＮＡ  ＩＤ  ＦＱＤＮについてのクエリは、そのＲＡＮＡ  ＩＤ  ＦＱＤＮで登録されたＩＰアドレスのリストを返すことになる。代替として、ＲＡＮＡ  ＩＤ  ＦＱＤＮについてのクエリは、このＲＡＮＡ  ＩＤ  ＦＱＤＮを登録しているネットワークノードのネットワークノードＩＤ  ＦＱＤＮのリストを返すことができ、これらのネットワークノードＩＤ  ＦＱＤＮは次いで、ＩＰアドレスに変換されてもよい。
【００６５】
デバイスコンテキストは、データベース２０２に登録されているＲＡＮＡ情報を使用することによって取り出すことができることもまた上で言及された。上で説明したデータベースメカニズムは、したがって、ＲＡＮＡのネットワークノードが、ＲＡＮＡの外側の別のネットワークノードからワイヤレスデバイスのネットワーク内部のコンテキストをフェッチするのを可能にするために使用されてもよく、このことは図７を参照して上で説明した。これは、データベースにおいて「オンデマンド」ルックアップ操作を使って行うことができる。実際のコンテキストフェッチングは、他のネットワークノードへの既存の接続／インターフェースが存在する場合、そのようなインターフェース／接続を使用することができる。そうでない場合、他のネットワークノードへの一時的な接続／インターフェースが確立されてもよいし、またはコアネットワークノードが、関与したメッセージを伝達するための「中継ノード」として使用されてもよい。
【００６６】
コンテキストフェッチングがコアネットワークノードを介して中継されるか、またはＲＡＮにおいて内部的に扱われるかにかかわらず、コンテキストフェッチングは、ネットワークノードＩＤを利用して、コンテキストを保有するネットワークノードを見つけることができる。このコンテキストフェッチングをサポートするために、ネットワークノードＩＤは、データベース２０２に登録されるべきである。コンテキストフェッチングがワイヤレスネットワーク内で内部的に実施されるケースでは、ネットワークノードＩＤは、ＦＱＤＮとしてデータベースに登録されてもよく、ＦＱＤＮは、ＤＮＳを介してＩＰアドレスに変換されてもよいし、またはデータベースにおいてＩＰアドレスに関連付けられてもよい。
【００６７】
ＬＴＥネットワークにおいてトラッキングエリア識別子のリストで設定されたワイヤレスデバイスに類似して、ＲＡＮＡのリストまたはＲＡＮＡ  ＩＤで設定されたワイヤレスデバイスのための複数のＲＡＮＡにわたるページング配信をサポートするために、解決策が使用され得ることもまた上で言及された。この目的のために、単にネットワークノード自身のＲＡＮＡ  ＩＤを使用してデータベースにクエリすることに代えて、ネットワークノードは、合理的に近い他のＲＡＮＡの、たとえば、近隣ＲＡＮＡの、および場合によってはまたその近隣の近隣ＲＡＮＡのＲＡＮＡ  ＩＤについてもまた、同じことを行うことができる。正確に言うと、ネットワークノードは、ネットワークノードがＲＡＮＡのリストに含むことができるすべての他のＲＡＮＡについて、またはネットワークノードがワイヤレスデバイスに配分するＲＡＮＡ  ＩＤについて、これを行うことができる。
【００６８】
第１のネットワークノード２００は、同じＲＡＮＡに属する別のネットワークノードからページングメッセージを受信することができ、そのＲＡＮＡに属するネットワークノードに、接続を通してページングメッセージを転送することによって、ハブノードとして働くことが上で言及された。この実施形態のいくつかのさらなる詳細および特徴をこれより説明する。この実施形態において、実質的にすべてのネットワークノードの間で接続の全体的または部分的な「メッシュ」を用いることに代えて、各ＲＡＮＡにおける１つのネットワークノードがそのＲＡＮＡのためのハブとして働くように設定される階層構造を使用することができる。これは、ハブノードが、ＲＡＮＡにおけるすべての他のネットワークノードへのインターフェース／接続を有し、それによって、ＲＡＮＡにおけるあらゆるネットワークノード間でページングメッセージを中継することができることを意味する。他のネットワークノードもまた、他のネットワークノードへの、たとえば、ネットワークノード自身の無線カバレッジエリアに隣接した無線カバレッジエリアを有する近隣ネットワークノードへの、直接インターフェース／接続を確立することができ、その結果、ネットワークノード間でのデバイスのハンドオーバは普通に行われてよい。いくつかのケースで、ハブノードは、図６について上で説明したように、たとえば、ページングメッセージが複数のホップで配信されるときに、ＲＡＮＡに属するネットワークノードのサブセットにのみページングメッセージを転送することができる。
【００６９】
各ハブノードは、そのそれぞれのコンタクト情報およびサポートされるＲＡＮＡを記憶することによって、そのＲＡＮＡ情報をデータベースに登録すべきである。ネットワークノードは次いで、そのＲＡＮＡをサーブするハブノードのコンタクト情報をルックアップし、たとえば、データベースへのクエリにＲＡＮＡ  ＩＤを含めることによってコンタクト情報をデータベースから取り出し、ハブノードへのインターフェース／接続を確立することができる。ＲＡＮＡのネットワークノードへのページングメッセージの配信は、このケースでは、ＲＡＮＡにおいてワイヤレスデバイスのページングを開始するネットワークノードがハブノードにページングメッセージを送るときなどに、ハブノードを介して実施されることになる。次いでハブノードは、ＲＡＮＡにおけるすべての他のネットワークノードにページングメッセージを転送する、または中継することになる。
【００７０】
ページングメッセージはまた、宛先ネットワークノードに、そのネットワークノードＩＤを使用してページングメッセージをアドレス指定することによって、ハブノードを介して単一の他のネットワークノードに送られてもよい。
【００７１】
ページングメッセージが複数のＲＡＮＡにわたって配信されるとき、および／またはデバイスコンテキストがＲＡＮＡの境界にわたって取り出されるとき、ＲＡＮＡにおける各ハブノードは、データベースからワイヤレスネットワークにおけるすべての他のハブノードのコンタクト情報を取り出すことができ、ハブノード同士が、互いの間にインターフェース／接続を確立して、したがって、全体的または部分的なメッシュを形成することができる。ハブノードについての特別なクエリが、データベースに送られてよく、データベースはその後、すべての他のハブノードによってデータベースに登録されているコンタクト情報を含む情報を返す。たとえば、そのようなデータベースクエリは、あるネットワークノードがそのＲＡＮＡのハブノードについての情報を取り出すために使用することになる「ワイルドカード」ＲＡＮＡ  ＩＤを、クエリの中に使用することによって実現することができる。
【００７２】
ハブノードはまた、通常のネットワークノードとしても並行して動作することができるが、別の可能性は、ハブノードが、ハブノードとしての動作に専用であり得ることである。
【００７３】
解決策が個別に例証する実施形態を参照して説明されてきたが、本説明は、概して、本発明の概念を示すことのみを意図しており、解決策の範囲を限定するものとしてみなされるべきではない。たとえば、用語「ネットワークノード」、「ワイヤレスデバイス」、「ページングメッセージ」、「無線アクセスネットワークエリア（ＲＡＮＡ）」、「コアネットワークノード」、および「ハブノード」が、本開示全体を通して使用されてきたが、本明細書で説明した特徴および特性を有する任意の他の対応するエンティティ、機能、および／またはパラメータがまた使用されてもよい。解決策は、添付の特許請求の範囲によって規定される。
【図１】
2019521614.tif 000003
【図２】
2019521614.tif 000004
【図３】
2019521614.tif 000005
【図４】
2019521614.tif 000006
【図５】
2019521614.tif 000007
【図６】
2019521614.tif 000008
【図７】
2019521614.tif 000009
【図８】
2019521614.tif 000010
【図９】
2019521614.tif 000011
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
ワイヤレスデバイスのページングを扱うための、ワイヤレスネットワークの第１のネットワークノード（２００）によって実施される方法であって、
前記第１のネットワークノード（２００）によってサポートされる無線アクセスネットワークエリア（ＲＡＮＡ）をデータベース（２０２）に登録すること（３００）と、
前記ＲＡＮＡをサポートするネットワークノード（２０４）のセットを前記データベース（２０２）において識別すること（３０２）と、
ワイヤレスデバイス（Ｄ１）が前記ＲＡＮＡにおいてページングされる必要があることを検出すること（３０６）と、
識別されたネットワークノード（２０４）のセットに、ページングメッセージの無線送信を実施するための命令として前記ページングメッセージを配信すること（３０８）と
を含む方法。
【請求項２】
前記第１のネットワークノード（２００）が、前記識別されたネットワークノード（２０４）のセットにおけるネットワークノードのうちの少なくともいくつかへの接続を確立し（３０４）、前記接続を使用して前記ページングメッセージを配信する、請求項１に記載の方法。
【請求項３】
前記登録すること（５：１）および前記識別すること（５：２）が、前記ＲＡＮＡをサーブするコアネットワークノード（５００）を介して実施される、請求項１または２に記載の方法。
【請求項４】
前記配信することが、前記識別されたネットワークノード（２０４）のセットへの前記ページングメッセージの配信のための中継器としてのコアネットワークノード（５００）に前記ページングメッセージを送ること（５：３）を含む、請求項１に記載の方法。
【請求項５】
前記コアネットワークノード（５００）に送られた前記ページングメッセージが、前記ＲＡＮＡに、または前記識別されたネットワークノード（２０４）のセットにおける各ネットワークノードにアドレス指定される、請求項４に記載の方法。
【請求項６】
前記コアネットワークノード（５００）が、前記ＲＡＮＡに属する別のネットワークノードから前記ワイヤレスデバイス（Ｄ１）のコンテキストを取り出すための中継器として使用される、請求項３から５のいずれか一項に記載の方法。
【請求項７】
前記第１のネットワークノード（２００）が、前記第１のネットワークノード（２００）によってサポートされる複数のＲＡＮＡを前記データベース（２０２）に登録し、前記ワイヤレスデバイスが登録されたＲＡＮＡのうちの少なくとも１つにおいてページングされる必要があることを検出する、請求項１から６のいずれか一項に記載の方法。
【請求項８】
前記登録することが、前記第１のネットワークノード（２００）のＩＰアドレスまたは完全修飾ドメイン名（ＦＱＤＮ）、および前記第１のネットワークノード（２００）によってサポートされる前記ＲＡＮＡの識別子を前記データベース（２０２）に登録することを含む、請求項１から７のいずれか一項に記載の方法。
【請求項９】
前記登録することが、前記第１のネットワークノード（２００）が前記ＲＡＮＡに配置されるとき、または、前記第１のネットワークノード（２００）が再設定され、以前になされた登録を更新する必要があるときに実施される、請求項１から８のいずれか一項に記載の方法。
【請求項１０】
前記識別することが、ルックアップキーとしての前記ＲＡＮＡの識別子を伴うクエリを前記データベース（２０２）に送ることを含む、請求項１から９のいずれか一項に記載の方法。
【請求項１１】
前記ページングメッセージが前記ＲＡＮＡに属する別のネットワークノードから受信され、前記第１のネットワークノード（２００）が、前記ＲＡＮＡに属する前記ネットワークノードのうちの少なくともいくつかに、接続を通して前記ページングメッセージを転送することによってハブノードとして働く、請求項１から１０のいずれか一項に記載の方法。
【請求項１２】
別のＲＡＮＡに属する第２のネットワークノード（７００）を前記データベース（２０２）において識別すること（７：１）と、前記第２のネットワークノード（７００）から前記第１のネットワークノード（２００）へとハンドオーバされる前記ワイヤレスデバイス（Ｄ１）のコンテキストを前記第２のネットワークノード（７００）から取り出すこと（７：２）とをさらに含む、請求項１から１１のいずれか一項に記載の方法。
【請求項１３】
前記第１のネットワークノード（２００）が、第１のホップで、前記識別されたネットワークノードのセットにおける近隣ネットワークノードのサブセットにのみ前記ページングメッセージを送り、その結果、前記ページングメッセージが、前記近隣ネットワークノードから同じＲＡＮＡに属するそのそれぞれの近隣ネットワークノードへと前記ページングメッセージを転送する少なくとも第２のホップを使って、前記識別されたネットワークノードのセットに配信される、請求項１から１２のいずれか一項に記載の方法。
【請求項１４】
前記ページングメッセージが、同じページングメッセージがそこから受信されているいずれかのネットワークノードに前記ページングメッセージが転送されるのを回避するために使用され得るメッセージ識別子を含む、請求項１３に記載の方法。
【請求項１５】
前記第１のネットワークノード（２００）が、近隣ネットワークノードの前記サブセットへの接続を確立し、前記第１のホップで、前記接続を使用して前記ページングメッセージを送る、請求項１３または１４に記載の方法。
【請求項１６】
ワイヤレスデバイスのページングを扱うように構成された、ワイヤレスネットワークの第１のネットワークノード（９００）であって、
前記第１のネットワークノード（９００）によってサポートされる無線アクセスネットワークエリア（ＲＡＮＡ）をデータベース（９０２）に登録し（９００Ａ）、
前記ＲＡＮＡをサポートするネットワークノード（９０４）のセットを前記データベース（９０２）において識別し（９００Ｂ）、
ワイヤレスデバイスが前記ＲＡＮＡにおいてページングされる必要があることを検出し（９００Ｃ）、
識別されたネットワークノード（９０４）のセットに、ページングメッセージの無線送信を実施するための命令として前記ページングメッセージを配信する（９００Ｄ）
ように設定された第１のネットワークノード（９００）。
【請求項１７】
前記識別されたネットワークノード（９０４）のセットにおけるネットワークノードのうちの少なくともいくつかへの接続を確立するように設定され、かつ前記接続を使用して前記ページングメッセージを配信するように設定された、請求項１６に記載の第１のネットワークノード（９００）。
【請求項１８】
前記登録することおよび前記識別することを、前記ＲＡＮＡをサーブするコアネットワークノード（５００）を介して実施するように設定された、請求項１６または１７に記載の第１のネットワークノード（９００）。
【請求項１９】
前記配信することを、前記識別されたネットワークノード（９０４）のセットへの前記ページングメッセージの配信のための中継器としてのコアネットワークノード（５００）に前記ページングメッセージを送ることによって実施するように設定された、請求項１６に記載の第１のネットワークノード（９００）。
【請求項２０】
前記コアネットワークノード（５００）に送られた前記ページングメッセージが、前記ＲＡＮＡに、または前記識別されたネットワークノード（９０４）のセットにおける各ネットワークノードにアドレス指定される、請求項１９に記載の第１のネットワークノード（９００）。
【請求項２１】
前記コアネットワークノード（５００）を、前記ＲＡＮＡに属する別のネットワークノードから前記ワイヤレスデバイスのコンテキストを取り出すための中継器として使用するように設定された、請求項１８から２０のいずれか一項に記載の第１のネットワークノード（９００）。
【請求項２２】
前記第１のネットワークノード（９００）によってサポートされる複数のＲＡＮＡを前記データベース（９０２）に登録するように設定され、かつ前記ワイヤレスデバイスが登録されたＲＡＮＡのうちの少なくとも１つにおいてページングされる必要があることを検出するように設定された、請求項１６から２１のいずれか一項に記載の第１のネットワークノード（９００）。
【国際調査報告】
2019521614.tif 000012
2019521614.tif 000013
2019521614.tif 000014
2019521614.tif 000015